(57)【要約】【課題】ＲＦＩＤカードの画像読取面の撮像画像データとタグのＩＤ情報とを同時に取得するときに、ＲＦＩＤカードの画像読取面の良好な撮像画像データを得ることができる画像読取装置を提供すること。【解決手段】画像読取装置１０では、読取部１４へ伝播しようとする電力供給用の電磁波やＩＤ情報送受信用の電磁波が読取部１４のキャリアケーブル１４ｂ等に干渉することを磁気シールド部材２２が抑制するため、読取部１４によりＲＦＩＤカード３２の画像読取面３２ａが撮像されている時にＩＤ情報取得部２０がＲＦＩＤカード３２の電子タグ３４のＩＤ情報を取得しても、読取部１４に電力供給用の電磁波やＩＤ情報送受信用の電磁波の影響が及ぶことを抑制できる。このため、ＲＦＩＤカード３２の画像読取面３２ａの撮像画像データと電子タグ３４のＩＤ情報を同時に取得しても、ＲＦＩＤカード３２の画像読取面３２ａの良好な撮像画像データを得ることができる。【選択図】        図２
2009267530.tif 000002
【特許請求の範囲】
【請求項１】
ＩＤ情報が記憶されているタグと電力供給用の電磁波を受信して前記ＩＤ情報をＩＤ情報送受信用の電磁波で送信するＩＤ情報送信手段とを搭載しているＲＦＩＤカードが載置されるカード載置面へ向けて光を照射する光源と、
前記ＲＦＩＤカードが前記カード載置面に載置されている場合に、前記ＲＦＩＤカードの前記カード載置面側の画像読取面を前記光源からの光に基づいて撮像し前記ＲＦＩＤカードの画像読取面の撮像画像信号を出力する読取手段と、
前記出力された撮像画像信号に基づいて前記ＲＦＩＤカードの画像読取面の撮像画像データを生成する画像データ生成手段と、
前記電力供給用の電磁波を送信すると共に、前記ＩＤ情報送受信用の電磁波を受信する送受信手段と、
前記受信されたＩＤ情報送受信用の電磁波に基づいて前記ＩＤ情報を取得するＩＤ情報取得手段と、
前記電力供給用の電磁波あるいは前記ＩＤ情報送受信用の電磁波の少なくとも一方が前記読取手段に干渉することを抑制する干渉抑制手段と、
を備え、
前記読取手段による前記ＲＦＩＤカードの撮像時に、前記ＩＤ情報取得手段が前記ＩＤ情報を取得する、
ことを特徴とする画像読取装置。
【請求項２】
前記読取手段は、前記ＲＦＩＤカードの画像読取面を前記光源からの光に基づいて撮像し前記ＲＦＩＤカードの画像読取面の撮像画像信号を出力する撮像素子と、前記撮像画像信号を前記画像データ生成手段に伝送するキャリアケーブルと、から構成され、
前記干渉抑制手段は、前記電力供給用の電磁波あるいは前記ＩＤ情報送受信用の電磁波の少なくともいずれか一方が前記撮像素子あるいは前記キャリアケーブルの少なくとも何れか一方に干渉することを抑制する、
ことを特徴とする請求項１に記載の画像読取装置。
【請求項３】
前記干渉抑制手段は、前記キャリアケーブルに設けられた磁気シールド部材あるいは磁気シールド材料である、
ことを特徴とする請求項２に記載の画像読取装置。
【請求項４】
前記干渉抑制手段は、前記撮像素子に取り付けられた磁気シールド部材あるいは前記撮像素子のケーシングに設けられた磁気シールド材料である、
ことを特徴とする請求項２又は請求項３に記載の画像読取装置。
【請求項５】
前記干渉抑制手段は、前記電力供給用の電磁波あるいは前記ＩＤ情報送受信用の電磁波の少なくともいずれか一方が伝播する伝播領域内に配置される領域であって前記伝播領域内の磁束変化に基づいて前記磁束変化を抑制する抑制領域を形成する閉ループコイルであり、
前記抑制領域内に前記撮像素子あるいは前記キャリアケーブルの少なくともいずれか一方が配置されている、
ことを特徴とする請求項２に記載の画像読取装置。
【請求項６】
前記干渉抑制手段は、前記伝播領域のうち、前記送受信手段と前記ＩＤ情報送信手段との間を前記抑制領域により分断しない、
ことを特徴とする請求項５に記載の画像読取装置。
【請求項７】
前記画像読取装置は、フラットベッド型であり、
前記送受信手段は、前記カード載置面を覆う蓋部材に設けられる、
ことを特徴とする請求項１〜６のいずれか１項に記載の画像読取装置。
【請求項８】
前記画像読取装置は、フラットベッド型であり、
前記送受信手段は、前記カード載置面を含んでいる筐体の内部に設けられる、
ことを特徴とする請求項１〜６のいずれか１項に記載の画像読取装置。
【請求項９】
前記撮像画像データあるいは前記ＩＤ情報の少なくとも一方を外部機器へ出力するためのインタ・フェースを有する、
ことを特徴とする請求項１〜８のいずれか１項に記載の画像読取装置。
【請求項１０】
前記インタ・フェースを介して前記外部機器へ前記撮像画像データあるいは前記ＩＤ情報の少なくとも一方を出力する場合に、前記出力される前記撮像画像データあるいは前記ＩＤ情報の少なくとも一方を暗号化する暗号化手段を有する、
ことを特徴とする請求項９に記載の画像読取装置。
【請求項１１】
前記ＲＦＩＤカードに関する追加情報を手動操作により装置に入力するための追加情報入力手段を有する、
ことを特徴とする請求項１〜１０のいずれか１項に記載の画像読取装置。
【発明の詳細な説明】
【技術分野】
【０００１】
本発明は、ＲＦＩＤカードを撮像する画像読取装置に関するものである。
【背景技術】
【０００２】
近年、例えば運転免許証等のように、ＩＤ情報が記憶されているＲＦＩＤ（Ｒａｄｉｏ  Ｆｒｅｑｕｅｎｃｙ  Ｉｄｅｎｔｉｆｉｃａｔｉｏｎ）カードが使用されてきている。
【０００３】
ＲＦＩＤカードの表面には、例えばこのＲＦＩＤカードの持ち主に関する情報等が記録されている。
【０００４】
ところで、ＲＦＩＤカードは、ＩＤ情報が記憶されているタグを搭載しており、ＲＦＩＤカードは、例えばタグリーダ等に設けられている送受信手段により電力供給用の電磁波を照射されると、ＲＦＩＤカードに設けられているＩＤ情報送信手段によりタグのＩＤ情報をＩＤ情報送受信用の電磁波で送信する。ＲＦＩＤカードから送信されたＩＤ情報送受信用の電磁波は、例えばタグリーダ等に設けられている送受信手段により受信されて、さらに、例えばタグリーダ等に設けられているＩＤ情報取得手段によりタグのＩＤ情報が取得される。
【０００５】
従来、ＲＦＩＤカードが画像読取装置のカード載置面に載置されている場合に、ＲＦＩＤカードのカード載置面側の画像読取面の撮像画像データと、ＲＦＩＤカードのタグに記憶されているＩＤ情報との双方を取得する技術が提案されており、その一例が下記特許文献１に開示されている。特許文献１に開示されている画像読取装置では、カード載置面に載置されているＲＦＩＤカードの画像読取面が読取手段によって撮像されると、この読取手段から撮像画像信号が出力されて、この撮像画像信号に基づいた撮像画像データが画像データ生成手段によって生成される。しかも、この画像読取装置では、撮像画像データの生成に加えて、ＲＦＩＤカードのタグのＩＤ情報が、電力供給用の電磁波とＩＤ情報送受信用の電磁波とを用いて前述と同様の手順で取得される。このように、特許文献１に開示されている画像読取装置は、１台でＲＦＩＤカードの画像読取面の撮像画像データとタグのＩＤ情報との双方を取得できる。
【０００６】
より詳しく述べると、特許文献１に開示されている画像読取装置では、ＲＦＩＤカードの画像読取面を読取手段によって撮像する際、読取手段から出力される撮像画像信号がタグのＩＤ情報を読み取るための電力供給用の電磁波やＩＤ情報送受信用の電磁波の影響を受けないように、電力供給用の電磁波をＲＦＩＤカードに送信する送受信手段を構成する送信コイルが非動作状態とされる。この結果、読取手段によるＲＦＩＤカードの画像読取面の撮像中には、電力供給用の電磁波やＩＤ情報送受信用の電磁波がＲＦＩＤカードのＩＤ情報送信手段と画像読取装置の送受信手段との間で送受信されない。したがって、ＲＦＩＤカードの画像読取面の撮像画像信号には、電力供給用の電磁波やＩＤ情報送受信用の電磁波の影響が及ばない。これにより、ＲＦＩＤカードの画像読取面の撮像画像データにも電力供給用の電磁波やＩＤ情報送受信用の電磁波の影響が及ばず、ＲＦＩＤカードの画像読取面の撮像画像が良好となる。
【０００７】
【特許文献１】特開２００５−１８２１７０号公報
【発明の開示】
【発明が解決しようとする課題】
【０００８】
ここで、ＲＦＩＤカードの画像読取面の撮像画像データとタグのＩＤ情報との双方を取得する際、ＲＦＩＤカードの画像読取面の撮像とタグのＩＤ情報の取得とを同時に行なうことで、最終的に、ＲＦＩＤカードの画像読取面の撮像画像データとタグのＩＤ情報との双方の取得に要する時間を短縮したいというニーズがある。
【０００９】
しかしながら、ＲＦＩＤカードの画像読取面の撮像とタグのＩＤ情報の取得とを同時に行なうと、ＲＦＩＤカードの画像読取面の撮像画像信号に、電力供給用の電磁波あるいはＩＤ情報送受信用の電磁波の少なくとも一方の影響が及んでしまう。このため、ＲＦＩＤカードの画像読取面の撮像とタグのＩＤ情報の取得とを同時に行なうと、ＲＦＩＤカードの画像読取面の撮像画像データにも電力供給用の電磁波あるいはＩＤ情報送受信用の電磁波の少なくとも一方の影響が及んでしまい、ＲＦＩＤカードの画像読取面の撮像画像は、良好な画像とはならない。
【００１０】
本発明は、上記に鑑みてなされたものであって、ＲＦＩＤカードの画像読取面の撮像画像データとタグのＩＤ情報とを同時に取得するときに、ＲＦＩＤカードの画像読取面の良好な撮像画像データを得ることができる画像読取装置を得ることを目的とする。
【課題を解決するための手段】
【００１１】
上述した課題を解決し、目的を達成するために、本発明に係る画像読取装置は、ＩＤ情報が記憶されているタグと電力供給用の電磁波を受信して前記ＩＤ情報をＩＤ情報送受信用の電磁波で送信するＩＤ情報送信手段とを搭載しているＲＦＩＤカードが載置されるカード載置面へ向けて光を照射する光源と、前記ＲＦＩＤカードが前記カード載置面に載置されている場合に、前記ＲＦＩＤカードの前記カード載置面側の画像読取面を前記光源からの光に基づいて撮像し前記ＲＦＩＤカードの画像読取面の撮像画像信号を出力する読取手段と、前記出力された撮像画像信号に基づいて前記ＲＦＩＤカードの画像読取面の撮像画像データを生成する画像データ生成手段と、前記電力供給用の電磁波を送信すると共に、前記ＩＤ情報送受信用の電磁波を受信する送受信手段と、前記受信されたＩＤ情報送受信用の電磁波に基づいて前記ＩＤ情報を取得するＩＤ情報取得手段と、前記電力供給用の電磁波あるいは前記ＩＤ情報送受信用の電磁波の少なくとも一方が前記読取手段に干渉することを抑制する干渉抑制手段と、を備え、前記読取手段による前記ＲＦＩＤカードの撮像時に、前記ＩＤ情報取得手段が前記ＩＤ情報を取得する、ことを特徴としている。
【００１２】
また、上記画像読取装置において、前記読取手段は、前記ＲＦＩＤカードの画像読取面を前記光源からの光に基づいて撮像し前記ＲＦＩＤカードの画像読取面の撮像画像信号を出力する撮像素子と、前記撮像画像信号を前記画像データ生成手段に伝送するキャリアケーブルと、から構成され、前記干渉抑制手段は、前記電力供給用の電磁波あるいは前記ＩＤ情報送受信用の電磁波の少なくともいずれか一方が前記撮像素子あるいは前記キャリアケーブルの少なくとも何れか一方に干渉することを抑制する、ことが好ましい。
【００１３】
また、上記画像読取装置において、前記干渉抑制手段は、前記キャリアケーブルに設けられた磁気シールド部材あるいは磁気シールド材料である、ことが好ましい。
【００１４】
また、上記画像読取装置において、前記干渉抑制手段は、前記撮像素子に取り付けられた磁気シールド部材あるいは前記撮像素子のケーシングに設けられた磁気シールド材料である、ことが好ましい。
【００１５】
また、上記画像読取装置において、前記干渉抑制手段は、前記電力供給用の電磁波あるいは前記ＩＤ情報送受信用の電磁波の少なくともいずれか一方が伝播する伝播領域内に配置される領域であって前記伝播領域内の磁束変化に基づいて前記磁束変化を抑制する抑制領域を形成する閉ループコイルであり、前記抑制領域内に前記撮像素子あるいは前記キャリアケーブルの少なくともいずれか一方が配置されている、ことが好ましい。
【００１６】
また、上記画像読取装置において、前記干渉抑制手段は、前記伝播領域のうち、前記送受信手段と前記ＩＤ情報送信手段との間を前記抑制領域により分断しない、ことが好ましい。
【００１７】
また、上記画像読取装置において、前記画像読取装置は、フラットベッド型であり、前記送受信手段は、前記カード載置面を覆う蓋部材に設けられる、ことが好ましい。
【００１８】
また、上記画像読取装置において、前記画像読取装置は、フラットベッド型であり、前記送受信手段は、前記カード載置面を含んでいる筐体の内部に設けられる、ことが好ましい。
【００１９】
また、上記画像読取装置において、前記撮像画像データあるいは前記ＩＤ情報の少なくとも一方を外部機器へ出力するためのインタ・フェースを有する、ことが好ましい。
【００２０】
また、上記画像読取装置において、前記インタ・フェースを介して前記外部機器へ前記撮像画像データあるいは前記ＩＤ情報の少なくとも一方を出力する場合に、前記出力される前記撮像画像データあるいは前記ＩＤ情報の少なくとも一方を暗号化する暗号化手段を有する、ことが好ましい。
【００２１】
また、上記画像読取装置において、前記ＲＦＩＤカードに関する追加情報を手動操作により装置に入力するための追加情報入力手段を有する、ことが好ましい。
【発明の効果】
【００２２】
本発明では、読取手段へ伝播しようとする電力供給用の電磁波やＩＤ情報送受信用の電磁波が読取手段の例えば撮像素子やキャリアケーブル等に干渉することを干渉抑制手段が抑制するため、読取手段によりＲＦＩＤカードの画像読取面が撮像されている時にＩＤ情報取得手段がＲＦＩＤカードのタグのＩＤ情報を取得しても、読取手段に、電力供給用の電磁波やＩＤ情報送受信用の電磁波の影響が及ぶことを抑制できる。したがって、ＲＦＩＤカードの画像読取面の撮像画像データとタグのＩＤ情報とを同時に取得しても、ＲＦＩＤカードの画像読取面の良好な撮像画像データを得ることができるという効果を奏する。
【００２３】
また、本発明では、キャリアケーブルに電力供給用の電磁波やＩＤ情報送受信用の電磁波の影響が及ぶことを、キャリアケーブルに磁気シールド部材あるいは磁気シールド材料を設けるだけで抑制できる。したがって、例えば、装置コストが高くなることを抑制できるという効果を奏する。
【００２４】
また、本発明では、撮像素子に電力供給用の電磁波やＩＤ情報送受信用の電磁波の影響が及ぶことを、撮像素子に磁気シールド部材を取り付ける、あるいは、撮像素子のケーシングに磁気シールド材料を設けるだけで抑制できる。したがって、例えば、装置コストが高くなることを抑制できるという効果を奏する。
【００２５】
また、本発明では、電力供給用の電磁波やＩＤ情報送受信用の電磁波が伝播する伝播領域内の磁束が変化すると、撮像素子あるいはキャリアケーブルの少なくともいずれか一方が配置されている抑制領域においては、閉ループコイルで生じる誘導起電力により変化抑制用の磁束が生じて、伝播領域内の磁束変化が抑制される。このため、抑制領域内に配置されている撮像素子やキャリアケーブルに、閉ループコイルにより伝播領域の磁束変化の影響が及ぶことを抑制できる。したがって、例えば、撮像素子やキャリアケーブルを覆うように閉ループコイルを設けなくても、抑制領域内に配置されている撮像素子やキャリアケーブルに電力供給用の電磁波やＩＤ情報送受信用の電磁波の影響が及ぶことを抑制できるという効果を奏する。
【００２６】
また、本発明では、電力供給用の電磁波あるいはＩＤ情報送受信用の電磁波の少なくともいずれか一方が伝播する伝播領域のうち、送受信手段とＩＤ情報送信手段との間が閉ループコイルにより形成される抑制領域で分断されないので、送受信手段とＩＤ情報送信手段との間において電力供給用の電磁波やＩＤ情報送受信用の電磁波の送受信が妨げられない。したがって、ＲＦＩＤカードへの供給電力を低下させることなく、タグのＩＤ情報を取得できるという効果を奏する。
【発明を実施するための最良の形態】
【００２７】
以下に、本発明に係る画像読取装置の実施の形態を図面に基づいて詳細に説明する。なお、以下の各実施の形態によりこの発明が限定されるものではない。
【００２８】
〔実施の形態１〕
以下、実施の形態１に係る画像読取装置について説明する。図１は、実施の形態１に係る画像読取装置の概略をブロック図にて示しており、図２は、この画像読取装置の特徴部分を模式図にて示している。
【００２９】
画像読取装置１０は、光源１２と、読取手段としての読取部１４と、画像データ生成手段としての画像データ生成部１６と、送受信手段としての送受信アンテナ部１８と、ＩＤ情報取得手段としてのＩＤ情報取得部２０と、干渉抑制手段としての磁気シールド部材２２と、インタ・フェース２４と、追加情報入力手段としての追加情報入力部２６と、暗号化手段としての第１制御部２８並びに第２制御部３０と、を備えている。実施の形態１では、画像読取装置１０は、フラットベッド型の画像読取装置であるものとして説明する。
【００３０】
ここで、ＲＦＩＤカード３２は、タグである電子タグ３４と、ＩＤ情報送信手段としてのアンテナコイル３６とを搭載している。電子タグ３４は所謂ＩＣチップであり、この電子タグ３４には、例えばＲＦＩＤカード３２の持ち主に関する情報、すなわちＩＤ情報が予め記憶されている。また、アンテナコイル３６は電子タグ３４に接続されており、このアンテナコイル３６は、送受信アンテナ部１８から送信された電力供給用の電磁波を受信して、電子タグ３４のＩＤ情報をＩＤ情報送受信用の電磁波で送受信アンテナ部１８に送信する。ここでは、ＲＦＩＤカード３２は、画像読取装置１０の筐体に設けられている無色透明のカード載置面３８に載置される。なお、図１において符号３９で示す部材は、カード載置面３８を覆う蓋部材であり、この蓋部材３９は、例えば矩形板状に形成されている。蓋部材３９のカード載置面３８側は白色とされており、白基準板としての機能を有する。
【００３１】
光源１２は、カード載置面３８へ向けて光を照射するものである。つまり、カード載置面３８にＲＦＩＤカード３２が載置されている場合は、カード載置面３８に載置されたＲＦＩＤカード３２の画像読取面３２ａに向かって光を照射することとなる。光源１２は後述のキャリッジ４０に搭載されており、この光源１２は、カード載置面３８にＲＦＩＤカード３２が載置された場合に、カード載置面３８を挟んでＲＦＩＤカード３２と対向する。光源１２はカード載置面３８の幅方向（カード載置面３８に平行であり、かつ、図１の矢印Ａ方向と直交する方向）にライン状に形成されるものであり、この光源１２は、後述のキャリッジ４０が移動することで、カード載置面３８の全領域に光を照射する。したがって、カード載置面３８にＲＦＩＤカード３２が載置されている場合は、ＲＦＩＤカード３２の画像読取面３２ａに向かって光を照射する。光源１２の駆動は、光源駆動回路４２により行なわれる。光源駆動回路４２は制御装置４４に搭載されている第１制御部２８と接続されており、この光源駆動回路４２は、第１制御部２８により制御される。したがって、光源１２による光の照射制御は、第１制御部２８により行なわれる。
【００３２】
読取部１４は、カード載置面３８に載置されているＲＦＩＤカード３２の画像読取面３２ａを撮像するものである。読取部１４は、ＲＦＩＤカード３２がカード載置面３８に載置されている場合に、ＲＦＩＤカード３２のカード載置面３８側の画像読取面３２ａを光源１２からの光に基づいて撮像し、ＲＦＩＤカード３２の画像読取面３２ａの撮像画像信号を出力する。この読取部１４は、撮像素子１４ａと、キャリアケーブル１４ｂと、から構成されている。
【００３３】
撮像素子１４ａは、カード載置面３８の全領域を走査するものである。撮像素子１４ａは後述のキャリッジ４０に搭載されており、この撮像素子１４ａは、カード載置面３８にＲＦＩＤカード３２が載置された場合に、カード載置面３８を挟んでＲＦＩＤカード３２と対向する。撮像素子１４ａは、例えばＣＣＤ（Ｃｈａｒｇｅ  Ｃｏｕｐｌｅｄ  Ｄｅｖｉｃｅ）撮像素子である。この他、撮像素子１４ａは、例えばＣＭＯＳ型の撮像素子であってもよい。この撮像素子１４ａは、例えば、カード載置面３８の幅方向にライン状に配列されており、この撮像素子１４ａは、キャリッジ４０が移動することで、カード載置面３８の全領域を走査する。したがって、カード載置面３８にＲＦＩＤカード３２が載置されている場合、撮像素子１４ａには、ＲＦＩＤカード３２の画像読取面３２ａで反射した光源１２からの光、すなわち反射光が入射されるので、撮像素子１４ａからは画像読取面３２ａの情報を含むカード載置面３８の全領域に対応した露光ごとの撮像画像信号が出力される。このように、撮像素子１４ａは、ＲＦＩＤカード３２の画像読取面３２ａを光源１２からの光に基づいて撮像し、ＲＦＩＤカード３２の画像読取面３２ａの撮像画像信号を出力する。なお、撮像素子１４ａは第１制御部２８と接続されており、この撮像素子１４ａは、第１制御部２８により、例えば露光周期制御等が行なわれる。
【００３４】
キャリアケーブル１４ｂは、撮像素子１４ａから出力された撮像画像信号を画像データ生成部１６に伝送するものである。キャリアケーブル１４ｂは、例えば、銅線等の電線から構成されている。
【００３５】
画像データ生成部１６は、撮像素子１４ａから出力された撮像画像信号に基づいてＲＦＩＤカード３２の画像読取面３２ａの撮像画像データを生成するものである。実施の形態１では、画像データ生成部１６は、撮像素子１４ａによるカード載置面３８の全領域の走査に基づいて全撮像画像データを生成する。画像データ生成部１６は、ＲＦＩＤカード３２の画像読取面３２ａの情報を含むカード載置面３８の全領域の情報に対応した露光ごとの撮像画像データを生成し、この生成された露光ごとの撮像画像データに基づいて全撮像画像データを生成するものである。なお、画像データ生成部１６は、図示しない位置特定部によりカード載置面３８に対するＲＦＩＤカード３２の位置が特定された場合に、全撮像画像データからＲＦＩＤカード３２の画像読取面３２ａに対応した撮像画像データを生成してもよい。つまり、全撮像画像データをクロッピングして撮像画像データを生成してもよい。クロッピングは、第１インタ・フェース部４６を介して画像読取装置１０に接続されているパーソナルコンピュータ４８に生成された全撮像画像データを出力して、パーソナルコンピュータ４８により行なってもよい。なお、画像データ生成部１６により生成された画像データは、第１メモリ５０に一時的に蓄積される。すなわち、この第１メモリ５０は、バッファとして機能する。このような第１メモリ５０は、例えば、フラッシュメモリ等の不揮発性のメモリである。
【００３６】
送受信アンテナ部１８は、電磁波を用いて、ＲＦＩＤカード３２の電子タグ３４からＩＤ情報を取得するためのものである。実施の形態１では、送受信アンテナ部１８は、画像読取装置１０のカード載置面３８を含んでいる筐体の内部に設けられている。この送受信アンテナ部１８は、送信コイル１８ａと、受信コイル１８ｂとから構成されている。
【００３７】
送信コイル１８ａは、電力供給用の電磁波を送信するものである。実施の形態１では、送信コイル１８ａは、画像読取装置１０の筐体の内部で、例えばカード載置面３８のキャリッジ４０側に取り付けられている。実施の形態１では、カード載置面３８のキャリッジ４０側において、カード載置面３８の縁部分を囲むようにコイルを構成する銅線等の電線が１回以上巻かれて、送信コイル１８ａがカード載置面３８に取り付けられている。このため、ＲＦＩＤカード３２がカード載置面３８に載置されている場合には、送信コイル１８ａがＲＦＩＤカード３２を囲むことができる。送信コイル１８ａは、カード載置面３８に向かって電力供給用の電磁波を送信するものである。ここで、カード載置面３８にＲＦＩＤカード３２が載置された場合、送信コイル１８ａが送信した電力供給用の電磁波をＲＦＩＤカード３２に搭載されているアンテナコイル３６が受信し、この受信された電力供給用の電磁波により電子タグ３４が動作する。送信コイル１８ａの駆動は、送信駆動回路５２により行なわれる。送信駆動回路５２は制御装置４４に搭載されている第２制御部３０に接続されており、この送信駆動回路５２は、第２制御部３０により制御される。したがって、送信コイル１８ａによる電力供給用の電磁波の送信制御は、第２制御部３０により行なわれる。
【００３８】
受信コイル１８ｂは、ＩＤ情報送受信用の電磁波を受信するものである。受信コイル１８ｂは、このＩＤ情報送受信用の電磁波を受信することで、受信コイル１８ｂに向かって送信された信号、すなわちＲＦＩＤカード３２に搭載されている電子タグ３４のＩＤ情報を受信する。実施の形態１では、受信コイル１８ｂは、画像読取装置１０の筐体の内部で、例えばカード載置面３８のキャリッジ４０側に取り付けられている。実施の形態１では、カード載置面３８のキャリッジ４０側において、カード載置面３８の縁部分を囲むようにコイルを構成する銅線等の電線が１回以上巻かれて、受信コイル１８ｂが送信コイル１８ａの外側に位置するようにカード載置面３８に取り付けられている。このため、ＲＦＩＤカード３２がカード載置面３８に載置されている場合には、受信コイル１８ｂがＲＦＩＤカード３２を囲むことができる。前述のように、受信コイル１８ｂは、カード載置面３８のキャリッジ４０側においてカード載置面３８の縁部分を囲むように取り付けられていて、カード載置面３８における電子タグ３４のカード載置面３８の幅方向の位置並びに直交方向の位置に拘らず、ＲＦＩＤカード３２のアンテナコイル３６により電子タグ３４に記憶されているＩＤ情報に基づいた信号を送信するので、受信コイル１８ｂは、電子タグ３４が送信した信号を受信できる。
【００３９】
ここで、カード載置面３８にＲＦＩＤカード３２が載置された場合、送信コイル１８ａが送信した電力供給用の電磁波により駆動する電子タグ３４はＲＦＩＤカード３２のアンテナコイル３６により電子タグ３４に記憶されているＩＤ情報に基づいた信号を送信するので、受信コイル１８ｂは、電子タグ３４が送信した信号を受信できる。なお、受信コイル１８ｂは、受信回路５４と接続されている。受信コイル１８ｂが受信した信号は、受信回路５４においてフィルタ処理や増幅処理等が行なわれる。受信回路５４は、制御装置４４に搭載されているＩＤ情報取得部２０と接続されており、受信コイル１８ｂが受信してフィルタ処理や増幅処理等が行なわれた信号が制御装置４４のＩＤ情報取得部２０に入力される。
【００４０】
ＩＤ情報取得部２０は、受信コイル１８ｂにより受信されたＩＤ情報送受信用の電磁波に基づいてＲＦＩＤカード３２の電子タグ３４のＩＤ情報を取得するものである。ＩＤ情報取得部２０は、前述の第２制御部３０を介して送信駆動回路５２に接続されており、送信駆動回路５２に送信コイル駆動制御信号を出力する。第２制御部３０は、ＩＤ情報取得部２０が出力した送信コイル駆動制御信号に基づいた送信駆動回路５２の駆動を行なう。したがって、第２制御部３０が受信コイル１８ｂの駆動を行なうこととなる。また、ＩＤ情報取得部２０は受信回路５４に接続されており、このＩＤ情報取得部２０には、受信コイル１８ｂが受信して受信回路５４から出力された信号が入力される。ＩＤ情報取得部２０は、受信コイル１８ｂにより受信された信号が入力される。ＩＤ情報取得部２０は、受信コイル１８ｂにより受信された信号に基づいて電子タグ３４のＩＤ情報を取得する。なお、ＩＤ情報取得部２０が取得したＩＤ情報は、第２制御部３０により第２メモリ５６に記憶される。この第２メモリ５６は、例えば、フラッシュメモリ等の不揮発性のメモリである。以上のようなＩＤ情報取得部２０は、読取部１４によるＲＦＩＤカード３２の撮像時に、ＲＦＩＤカード３２の電子タグ３４のＩＤ情報を取得する。より詳しく述べると、読取部１４の撮像素子１４ａがＲＦＩＤカード３２の画像読取面３２ａを撮像している時に、送受信アンテナ部１８の送信コイル１８ａが電力供給用の電磁波を送信することで、送受信アンテナ部１８の受信コイル１８ｂがＲＦＩＤカード３２のアンテナコイル３６から送信されたＩＤ情報送受信用の電磁波を受信し、この受信コイル１８ｂにより受信されたＩＤ情報送受信用の電磁波に基づいて、ＩＤ情報取得部２０がＲＦＩＤカード３２の電子タグ３４のＩＤ情報を取得する。
【００４１】
磁気シールド部材２２は、送信コイル１８ａから送信された電力供給用の電磁波、あるいは、ＲＦＩＤカード３２のアンテナコイル３６から送信されたＩＤ情報送受信用の電磁波の少なくとも一方が読取部１４、言い換えれば、撮像素子１４ａあるいはキャリアケーブル１４ｂの少なくともいずれか一方に干渉することを抑制するものである。図２に示すように、実施の形態１では、磁気シールド部材２２は、送信コイル１８ａから送信された電力供給用の電磁波やＲＦＩＤカード３２のアンテナコイル３６から送信されたＩＤ情報送受信用の電磁波を遮ることで、送信コイル１８ａから送信された電力供給用の電磁波、あるいは、ＲＦＩＤカード３２のアンテナコイル３６から送信されたＩＤ情報送受信用の電磁波の少なくとも一方がキャリアケーブル１４ｂに干渉することを抑制するものである。磁気シールド部材２２は、キャリアケーブル１４ｂに設けられている。より詳しく述べると、磁気シールド部材２２は、例えば、キャリアケーブル１４ｂ全体を被覆していてもよい。このような磁気シールド部材２２は、例えば、軟磁性体とされている。
【００４２】
インタ・フェース２４は、外部機器、実施の形態１ではパーソナルコンピュータ４８との間で各種命令や様々なデータをやり取りするためのものである。インタ・フェース２４は、ＲＦＩＤカード３２の画像読取面３２ａの撮像画像データあるいは電子タグ３４のＩＤ情報の少なくとも一方を、パーソナルコンピュータ４８へ出力するために使用される。実施の形態１では、インタ・フェース２４は、第１インタ・フェース部４６と、第２インタ・フェース部５７とから構成されている。
【００４３】
第１インタ・フェース部４６は、パーソナルコンピュータ４８に搭載されているスキャナ制御部５８に接続されており、この第１インタ・フェース部４６は、スキャナ制御部５８から出力されたスキャナ制御信号を第１制御部２８に入力することが可能である。また、第１インタ・フェース部４６は、画像データ生成部１６にも接続されており、この第１インタ・フェース部４６は、画像データ生成部１６により生成された画像データをパーソナルコンピュータ４８のスキャナ制御部５８に出力することが可能である。なお、スキャナ制御部５８は、パーソナルコンピュータ４８に搭載されている全体制御部６０により制御される。
【００４４】
第２インタ・フェース部５７は、パーソナルコンピュータ４８に搭載されているＲＦＩＤ制御部６２に接続されており、この第２インタ・フェース部５７は、ＲＦＩＤ制御部６２から出力されたＲＦＩＤ制御信号を第２制御部３０に入力することが可能である。また、第２インタ・フェース部５７は、第２制御部３０を介してＩＤ情報取得部２０に接続されているので、この第２インタ・フェース部５７は、第２制御部３０を介してＩＤ情報取得部２０から出力されたＩＤ情報を、パーソナルコンピュータ４８のＲＦＩＤ制御部６２に出力することが可能である。なお、ＲＦＩＤ制御部６２は、パーソナルコンピュータ４８に搭載されている全体制御部６０により制御される。
【００４５】
追加情報入力部２６は、ＲＦＩＤカード３２に関する追加情報を手動操作により画像読取装置１０に入力するためのものである。追加情報入力部２６は、制御装置４４に搭載されている。追加情報入力部２６は例えばテンキーやタッチ式液晶パネル等のユーザ・インタ・フェースを有しており、画像読取装置１０の利用者は、このユーザ・インタ・フェースを、例えば押圧する等して手動操作することにより、画像読取装置１０に追加情報を入力できる。例えば、ＲＦＩＤカード３２がＩＣ運転免許証の場合には、この追加情報は、ＩＣ運転免許証のＩＤ情報を取得するために必要とされる暗証番号となる。
【００４６】
第１制御部２８並びに第２制御部３０は、第１インタ・フェース部４６並びに第２インタ・フェース部５７を介してパーソナルコンピュータ４８へＲＦＩＤカード３２の画像読取面３２ａの撮像画像データあるいは電子タグ３４のＩＤ情報の少なくとも一方を出力する場合に、この出力される撮像画像データあるいはＩＤ情報の少なくとも一方を暗号化する。
【００４７】
具体的には、第１制御部２８は、第１インタ・フェース部４６を介してパーソナルコンピュータ４８へ撮像画像データを出力する場合に、この出力される撮像画像データを暗号化する。撮像画像データを暗号化するか否かの設定は、例えば、画像読取装置１０の利用者が、制御装置４４に設けられた図示しないユーザ・インタ・フェースを操作することで選択できる。実施の形態１では、撮像画像データが第１制御部２８により暗号化される設定とされている。
【００４８】
一方、第２制御部３０は、第２インタ・フェース部５７を介してパーソナルコンピュータ４８へＲＦＩＤカード３２の電子タグ３４のＩＤ情報を出力する場合に、この出力されるＩＤ情報を暗号化する。ＩＤ情報を暗号化するか否かの設定は、例えば、画像読取装置１０の利用者が、制御装置４４に設けられた図示しないユーザ・インタ・フェースを操作することで選択できる。実施の形態１では、ＩＤ情報が第２制御部３０により暗号化される設定とされている。
【００４９】
キャリッジ４０は、カード載置面３８に対して移動するものである。キャリッジ４０は画像読取装置１０の図示しない筐体の内部に配置されており、このキャリッジ４０は、カード載置面３８の一方向、実施の形態１ではカード載置面３８の長手方向（図１の矢印Ａ方向）に移動することで、カード載置面３８の全領域と対向できるように、画像読取装置１０の筐体に移動自在に支持されている。キャリッジ４０は、長手方向の長さがカード載置面３８のキャリッジ４０が移動する方向と直交する直交方向の長さよりも長くなるように形成されている。つまり、キャリッジ４０の幅は、カード載置面３８の幅よりも広く設定されている。また、キャリッジ４０は、光源１２と撮像素子１４ａとを搭載しているので、光源１２及び撮像素子１４ａを自身と共にカード載置面３８に対して移動させることができ、光源１２及び撮像素子１４ａをカード載置面３８の全領域と対向させることができる。
【００５０】
キャリッジ４０にはモータ６４が接続されており、キャリッジ４０は、モータ６４の回転駆動力を受けて、カード載置面３８の長手方向に移動する。このモータ６４は、モータ駆動回路６６により制御される。そして、モータ駆動回路６６は、第１制御部２８に制御される。したがって、モータ６４は、第１制御部２８により制御されることとなる。
【００５１】
次に、実施の形態１の画像読取装置１０の動作について説明する。
【００５２】
画像読取装置１０の制御装置４４が、例えば、パーソナルコンピュータ４８のスキャナ制御部５８からカード載置面３８に載置されたＲＦＩＤカード３２の画像読取面３２ａの撮像の開始指示を受けると、制御装置４４の第１制御部２８が光源１２と撮像素子１４ａとを駆動する。また、第１制御部２８は、モータ６４の駆動制御を行う。
【００５３】
ここでは、第１制御部２８は、光源１２を光源駆動回路４２により駆動し、光源１２からカード載置面３８に向けて光を照射させる。また、第１制御部２８は、撮像素子１４ａを所定の露光周期で駆動する。また、第１制御部２８は、モータ駆動回路６６にモータ駆動制御信号を出力し、モータ６４の駆動を行い、キャリッジ４０をカード載置面３８に対して矢印Ａ方向に移動させる。つまり、光をカード載置面３８に照射している光源１２及び所定の露光周期で駆動している撮像素子１４ａは、キャリッジ４０と共にカード載置面３８に対して移動する。これにより、撮像素子１４ａがカード載置面３８の全領域を走査する。なお、キャリッジ４０は、撮像素子１４ａによるカード載置面３８の全領域の走査の開始前にカード載置面３８の長手方向における両端部のうち、いずれか一方の端部に位置し、走査の開始と共に、一方の端部から他方の端部へ向かって移動して、走査の終了時には、他方の端部に位置する。
【００５４】
このようにして、ＲＦＩＤカード３２の画像読取面３２ａが読取部１４の撮像素子１４ａにより撮像されると、ＲＦＩＤカード３２の画像読取面３２ａの撮像画像信号が撮像素子１４ａから出力される。撮像素子１４ａから出力されたＲＦＩＤカード３２の画像読取面３２ａの撮像画像信号は、キャリアケーブル１４ｂを経て制御装置４４内の画像データ生成部１６に伝送される。画像データ生成部１６では、撮像画像信号にＡ／Ｄ変換処理等が施されて、最終的には、ＲＦＩＤカード３２の画像読取面３２ａの撮像画像データが生成される。
【００５５】
ここで、読取部１４の撮像素子１４ａがＲＦＩＤカード３２の画像読取面３２ａを撮像している時に、ＩＤ情報取得部２０が第２制御部３０を介して送信駆動回路５２に送信コイル駆動制御信号を出力し、送信駆動回路５２を駆動させて送信コイル１８ａに電力供給用の電磁波を送信させる。カード載置面３８に載置されているＲＦＩＤカード３２のアンテナコイル３６が電力供給用の電磁波を受信すると、ＲＦＩＤカード３２の電子タグ３４のＩＤ情報がアンテナコイル３６からＩＤ情報送受信用の電磁波により送信される。そして、受信コイル１８ｂがアンテナコイル３６から送信されたＩＤ情報送受信用の電磁波を受信すると、ＲＦＩＤカード３２の電子タグ３４のＩＤ情報は、受信回路５４を経てＩＤ情報取得部２０に入力される。このようにして、ＩＤ情報取得部２０がＲＦＩＤカード３２の電子タグ３４のＩＤ情報を取得する。
【００５６】
このとき、画像読取装置１０では、読取部１４のキャリアケーブル１４ｂへ伝播しようとする電力供給用の電磁波やＩＤ情報送受信用の電磁波が読取部１４のキャリアケーブル１４ｂに干渉することを干渉抑制手段としての磁気シールド部材２２が抑制するため、読取部１４によりＲＦＩＤカード３２の画像読取面３２ａが撮像されている時にＩＤ情報取得部２０がＲＦＩＤカード３２の電子タグ３４のＩＤ情報を取得しても、読取部１４のキャリアケーブル１４ｂに、電力供給用の電磁波やＩＤ情報送受信用の電磁波の影響が及ぶことを抑制できる。したがって、ＲＦＩＤカード３２の画像読取面３２ａの撮像画像データと電子タグ３４のＩＤ情報とを同時に取得しても、ＲＦＩＤカード３２の画像読取面３２ａの良好な撮像画像データを得ることができる。
【００５７】
また、画像読取装置１０では、キャリアケーブル１４ｂに電力供給用の電磁波やＩＤ情報送受信用の電磁波の影響が及ぶことを、キャリアケーブル１４ｂに磁気シールド部材２２を設けるだけで抑制できる。したがって、例えば、装置コストが高くなることを抑制できる。
【００５８】
また、フラットベッド型の画像読取装置１０において、送受信アンテナ部１８を構成する送信コイル１８ａ及び受信コイル１８ｂがカード載置面３８を含んでいる筐体の内部に設けられているので、例えば、装置の大型化を抑制できる。
【００５９】
また、画像読取装置１０は、画像データ生成部１６により生成された撮像画像データあるいはＩＤ情報取得部２０により取得されたＩＤ情報の少なくとも一方、実施の形態１では撮像画像データとＩＤ情報との双方を、インタ・フェース２４を構成する第１インタ・フェース部４６と第２インタ・フェース部５７とを介して外部機器、実施の形態１ではパーソナルコンピュータ４８へ出力できる。このため、例えば、画像読取装置１０で取得した撮像画像データとＩＤ情報とを外部機器としてのパーソナルコンピュータ４８で処理できる。
【００６０】
また、画像読取装置１０では、インタ・フェース２４を構成する第１インタ・フェース部４６と第２インタ・フェース部５７とを介して画像データ生成部１６により生成された撮像画像データあるいはＩＤ情報取得部２０により取得されたＩＤ情報の少なくとも一方、実施の形態１では撮像画像データとＩＤ情報の双方を外部機器としてのパーソナルコンピュータ４８へ出力する場合に、この出力される撮像画像データが暗号化手段としての第１制御部２８により暗号化されると共に、ＩＤ情報が暗号化手段としての第２制御部３０により暗号化される。このため、万一、画像読取装置１０から撮像画像データやＩＤ情報が流出してしまっても、撮像画像データやＩＤ情報の中身が第三者に知られてしまうことを防止できる。
【００６１】
また、画像読取装置１０では、追加情報入力部２６のユーザ・インタ・フェースを手動操作することで、ＲＦＩＤカード３２に関する追加情報、実施の形態１では、ＩＣ運転面書証の電子タグ３４のＩＤ情報を取得するためのパスワードを、装置に入力できる。このため、例えばＲＦＩＤカード３２がＩＣ運転免許証である場合には、電子タグ３４のＩＤ情報を取得するための暗証番号の入力処理を、画像読取装置１０だけで行なうことができる。
【００６２】
なお、実施の形態１では、画像読取装置１０が読取部１４のキャリアケーブル１４ｂに磁気シールド部材２２を設けているものとして説明したが、本発明はこれに限らない。本発明は、例えば、キャリアケーブル１４ｂに磁気シールド材料を設けても良い。より詳しくは、この磁気シールド材料は、例えば、キャリアケーブル１４ｂ全体に塗布されていてもよい。このような磁気シールド材料は、例えば、軟磁性体とされる。キャリアケーブル１４ｂに磁気シールド材料を設けた場合にも、前述と同様に、キャリアケーブル１４ｂに電力供給用の電磁波やＩＤ情報送受信用の電磁波の影響が及ぶことを抑制でき、例えば、装置コストが高くなることを抑制できる。
【００６３】
〔実施の形態２〕
以下、実施の形態２に係る画像読取装置について説明する。図３は、実施の形態２に係る画像読取装置の特徴部分を断面図にて示している。なお、前述の実施の形態１と同様の構成要件については、同一符号を付してその説明を省略する。
【００６４】
実施の形態２の干渉抑制手段は、撮像素子１４ａのケーシング６８に設けられた磁気シールド材料である。ケーシング６８は、略直方体状に形成されている。ケーシング６８の底部には凹部が形成されており、この凹部に、撮像素子１４ａが基板７０に実装された状態で配置されてケーシング６８に固定されている。ケーシング６８は、プラスチックやガラス、そして磁気シールド材料が混ぜられた樹脂製とされている。実施の形態２では、ケーシング６８に設けられた磁気シールド材料が、送信コイル１８ａから送信された電力供給用の電磁波やＲＦＩＤカード３２のアンテナコイル３６から送信されたＩＤ情報送受信用の電磁波を遮ることで、送信コイル１８ａから送信された電力供給用の電磁波、あるいは、ＲＦＩＤカード３２のアンテナコイル３６から送信されたＩＤ情報送受信用の電磁波の少なくとも一方が撮像素子１４ａに干渉することを抑制する。この磁気シールド材料は、例えば、軟磁性体とされている。
【００６５】
なお、図３において符号７２で示す部材は、ＲＦＩＤカード３２の画像読取面３２ａによって反射された光源１２からの光を撮像素子１４ａに導くレンズである。
【００６６】
実施の形態２の画像読取装置１０では、読取部１４の撮像素子１４ａへ伝播しようとする電力供給用の電磁波やＩＤ情報送受信用の電磁波が読取部１４の撮像素子１４ａに干渉することを干渉抑制手段としてのケーシング６８に含まれる磁気シールド材料が抑制するため、読取部１４によりＲＦＩＤカード３２の画像読取面３２ａが撮像されている時にＩＤ情報取得部２０がＲＦＩＤカード３２の電子タグ３４のＩＤ情報を取得しても、読取部１４の撮像素子１４ａに、電力供給用の電磁波やＩＤ情報送受信用の電磁波の影響が及ぶことを抑制できる。したがって、ＲＦＩＤカード３２の画像読取面３２ａの撮像画像データと電子タグ３４のＩＤ情報とを同時に取得しても、ＲＦＩＤカード３２の画像読取面３２ａの良好な撮像画像データを得ることができる。
【００６７】
また、実施の形態２の画像読取装置１０では、撮像素子１４ａに電力供給用の電磁波やＩＤ情報送受信用の電磁波の影響が及ぶことを、撮像素子１４ａのケーシング６８に磁気シールド材料を設けるだけで抑制できる。したがって、例えば、装置コストが高くなることを抑制できる。
【００６８】
なお、実施の形態２では、画像読取装置１０が撮像素子１４ａのケーシング６８に磁気シールド材料を設けているものとして説明したが、本発明はこれに限らない。本発明は、例えば、撮像素子１４ａに磁気シールド部材を取り付けてもよい。この磁気シールド部材は、例えば、軟磁性体とされる。撮像素子１４ａに磁気シールド部材を取り付けた場合にも、前述と同様に、撮像素子１４ａに電力供給用の電磁波やＩＤ情報送受信用の電磁波の影響が及ぶことを抑制でき、例えば、装置コストが高くなることを抑制できる。
【００６９】
〔実施の形態３〕
以下、実施の形態３に係る画像読取装置について説明する。図４は、実施の形態３に係る画像読取装置の特徴部分を斜視図にて示している。なお、前述の実施の形態１〜２と同様の構成要件については、同一符号を付してその説明を省略する。
【００７０】
図４の（ａ）に示すように、実施の形態３の送受信手段は、送受信アンテナ部７３である。送受信アンテナ部７３は、機能的には、実施の形態１で説明した送受信アンテナ部１８と同じものである。送受信アンテナ部７３は、送信コイル７３ａと、受信コイル７３ｂとから構成されている。
【００７１】
送信コイル７３ａは、機能的には、実施の形態１で説明した送信コイル１８ａと同じものである。送信コイル７３ａは、画像読取装置１０のカード載置面３８を含む筐体の内部に設けられている。より詳しく述べると、送信コイル７３ａは、カード載置面３８に対してキャリッジ４０側の天板部分全体に配設されている。
【００７２】
受信コイル７３ｂは、機能的には、実施の形態１で説明した受信コイル１８ｂと同じものである。受信コイル７３ｂは、画像読取装置１０の上記の天板部分の縁部分に沿って環状に配設されている。
【００７３】
ここで、図５に示すように、送受信アンテナ部７３とＲＦＩＤカード３２のアンテナコイル３６とにより、送信コイル７３ａから送信される電力供給用の電磁波、あるいは、ＲＦＩＤカード３２のアンテナコイル３６から送信されるＩＤ情報送受信用の電磁波の少なくとも一方が伝播する伝播領域Ｈ１が形成される。この伝播領域Ｈ１は、キャリッジ４０の移動軌跡を包含する。このため、少なくともキャリッジ４０に搭載されている撮像素子１４ａには、電力供給用の電磁波あるいはＩＤ情報送受信用の電磁波の少なくともいずれか一方の影響が及んでしまう。そこで、伝播領域Ｈ１内に位置する読取部１４の少なくとも撮像素子１４ａに電力供給用の電磁波あるいはＩＤ情報送受信用の電磁波の少なくともいずれか一方の影響が及ぶことを抑制するために、干渉抑制手段としての閉ループコイル７４がキャリッジ４０の周囲に配置されている。
【００７４】
図４の（ｂ）に示すように、実施の形態３の干渉抑制手段である閉ループコイル７４は、コイルを構成する銅線等の電線がカード載置面３８とほぼ平行に１回以上巻かれ、実施の形態３ではこの電線がカード載置面３８とほぼ平行にキャリッジ４０の周囲に１回以上巻き付けられ、最終的にはこの電線の端部同士が接続されて形成されている。
【００７５】
図５に示すように、閉ループコイル７４は、電力供給用の電磁波あるいはＩＤ情報送受信用の電磁波の少なくともいずれか一方が伝播する伝播領域Ｈ１内に配置される領域であって伝播領域Ｈ１内の磁束変化に基づいてこの磁束変化を抑制する抑制領域Ｈ２を形成する。より詳しく述べると、送受信アンテナ部７３とＲＦＩＤカード３２のアンテナコイル３６との間で、電力供給用の電磁波やＩＤ情報送受信用の電磁波が送受信されていない状態からこれらの電磁波が送受信される状態になると、閉ループコイル７４によって形成される閉ループ内を電力供給用の電磁波あるいはＩＤ情報送受信用の電磁波の少なくとも一方の磁束が通過することとなる。このため、閉ループコイル７４内の磁束が変化する。この閉ループコイル７４内の磁束の変化に伴い、閉ループコイル７４では、電磁誘導により誘導起電力を発生し、この誘導起電力により変化抑制用の磁束を発生する。この変化抑制用の磁束の集合により形成される領域が抑制領域Ｈ２となる。この抑制領域Ｈ２は、前述の電磁誘導に基づいて形成されるものであるため、閉ループコイル７４付近にのみ形成されるものである。抑制領域Ｈ２が形成されている場合には、抑制領域Ｈ２内の磁束は、電力供給用の電磁波やＩＤ情報送受信用の電磁波の磁束の変化を無くすように変動する。この抑制領域Ｈ２内には、撮像素子１４ａあるいはキャリアケーブル１４ｂの少なくともいずれか一方、実施の形態３では読取部１４の少なくとも撮像素子１４ａ、が配置されている。
【００７６】
この実施の形態３のように、閉ループコイル７４がカード載置面３８に載置されているＲＦＩＤカード３２に対して送受信アンテナ部７３と同じ側にある場合あるいは閉ループコイル７４と送受信アンテナ部７３とが同一平面上にある場合には、閉ループコイル７４は、送受信アンテナ部７３によるＲＦＩＤカード３２への給電能力を抑制領域Ｈ２によって低下させないために、例えば、閉ループコイル７４の短手方向の寸法がＲＦＩＤカード３２のアンテナコイル３６の短手方向の寸法よりも小さくなるように形成されればよい。また、図５にも示すように、閉ループコイル７４がカード載置面３８に載置されているＲＦＩＤカード３２に対して送受信アンテナ部７３と反対側にある場合には、閉ループコイル７４は、送受信アンテナ部７３によるＲＦＩＤカード３２への給電能力を抑制領域Ｈ２によって低下させないために、例えば、抑制領域Ｈ２がＲＦＩＤカード３２のアンテナコイル３６を含まないように閉ループコイル７４をカード載置面３８から離間して配置すればよい。なお、閉ループコイル７４を構成するコイルの巻数を変えることで、抑制領域Ｈ２がＲＦＩＤカード３２のアンテナコイル３６を含まないようにすることも可能である。このようにして、閉ループコイル７４は、伝播領域Ｈ１のうち、送受信手段としての送受信アンテナ部７３とＩＤ情報送信手段としてのアンテナコイル３６との間を抑制領域Ｈ２により分断しないものとされている。
【００７７】
実施の形態３の画像読取装置１０では、送受信アンテナ部７３とＲＦＩＤカード３２のアンテナコイル３６との間で電力供給用の電磁波やＩＤ情報送受信用の電磁波が送受信されると、電力供給用の電磁波やＩＤ情報送受信用の電磁波の磁束が閉ループコイル７４内を通過して、閉ループコイル７４内の磁束が変化し、閉ループコイル７４は、電磁誘導により誘導起電力を発生する。閉ループコイル７４ではこの誘導起電力により変化抑制用の磁束が発生し、電力供給用の電磁波やＩＤ情報送受信用の電磁波が伝播する伝播領域Ｈ１の内部に抑制領域Ｈ２が形成される。この結果、抑制領域Ｈ２の内部では、磁束が、電力供給用の電磁波やＩＤ情報送受信用の電磁波の磁束の変化を無くすように変動する。このようにして、読取部１４の少なくとも撮像素子１４ａへ伝播しようとする電力供給用の電磁波やＩＤ情報送受信用の電磁波が読取部１４の少なくとも撮像素子１４ａに干渉することを干渉抑制手段としての閉ループコイル７４が抑制するため、読取部１４によりＲＦＩＤカード３２の画像読取面３２ａが撮像されている時にＩＤ情報取得部２０がＲＦＩＤカード３２の電子タグ３４のＩＤ情報を取得しても、読取部１４の少なくとも撮像素子１４ａに、電力供給用の電磁波やＩＤ情報送受信用の電磁波の影響が及ぶことを抑制できる。したがって、ＲＦＩＤカード３２の画像読取面３２ａの撮像画像データと電子タグ３４のＩＤ情報とを同時に取得しても、ＲＦＩＤカード３２の画像読取面３２ａの良好な撮像画像データを得ることができる。
【００７８】
また、実施の形態３の画像読取装置１０では、電力供給用の電磁波やＩＤ情報送受信用の電磁波が伝播する伝播領域Ｈ１内の磁束が変化すると、撮像素子１４ａあるいはキャリアケーブル１４ｂの少なくともいずれか一方、図４〜５では読取部１４の少なくとも撮像素子１４ａが配置されている抑制領域Ｈ２においては、閉ループコイル７４で生じる誘導起電力により変化抑制用の磁束が生じて、伝播領域Ｈ１内の磁束変化が抑制される。このため、抑制領域Ｈ２内に配置されている撮像素子１４ａやキャリアケーブル１４ｂ、図４〜５では撮像素子１４ａに、閉ループコイル７４により伝播領域Ｈ１の磁束変化の影響が及ぶことを抑制できる。したがって、例えば、撮像素子１４ａやキャリアケーブル１４ｂ、図４〜５では読取部１４の少なくとも撮像素子１４ａを覆うように閉ループコイル７４を設けなくても、抑制領域Ｈ２内に配置されている撮像素子１４ａやキャリアケーブル１４ｂ、図４〜５では読取部１４の少なくとも撮像素子１４ａに電力供給用の電磁波やＩＤ情報送受信用の電磁波の影響が及ぶことを抑制できる。
【００７９】
また、実施の形態３の画像読取装置１０では、電力供給用の電磁波あるいはＩＤ情報送受信用の電磁波の少なくともいずれか一方が伝播する伝播領域Ｈ１のうち、送受信手段としての送受信アンテナ部７３とＩＤ情報送信手段としてのＲＦＩＤカード３２のアンテナコイル３６との間が閉ループコイル７４により形成される抑制領域Ｈ２で分断されないので、送信コイル７３ａと受信コイル７３ｂとから構成される送受信アンテナ部７３とＲＦＩＤカード３２のアンテナコイル３６との間において電力供給用の電磁波やＩＤ情報送受信用の電磁波の送受信が妨げられない。したがって、ＲＦＩＤカード３２への供給電力を低下させることなく、電子タグ３４のＩＤ情報を取得できる。
【００８０】
以上、実施の形態１〜３では、送受信アンテナ部１８や送受信アンテナ部７３がカード載置面３８を含んでいる筐体の内部に設けられているものとしたが、本発明は、これに限らない。本発明は、例えば、フラットベッド型の画像読取装置１０において、送受信アンテナ部１８や送受信アンテナ部７３がカード載置面３８を覆う蓋部材３９に設けられていてもよい。送受信アンテナ部１８や送受信アンテナ部７３が蓋部材３９に設けられている場合にも、例えば、画像読取装置１０の大型化を抑制できる。
【００８１】
また、例えば、実施の形態１と実施の形態２とを組み合わせて、あるいは、実施の形態１と実施の形態３とを組み合わせることで、読取部１４の撮像素子１４ａとキャリアケーブル１４ｂとの双方に、電力供給用の電磁波あるいはＩＤ情報送受信用の電磁波の少なくともいずれか一方が影響を及ぼすことを抑制できる。
【００８２】
また、実施の形態１〜３では、画像読取装置１０の制御装置４４において、撮像画像データ用の制御手段である第１制御部２８と、ＩＤ情報用の制御手段である第２制御部３０とを別個に設ける構成としたが、本発明はこれに限らない。本発明は、読取部１４の撮像素子１４ａを含む撮像系と、送受信アンテナ部１８の送信コイル１８ａ及び受信コイル１８ｂ（実施の形態３においては、送受信アンテナ部７３の送信コイル７３ａ及び受信コイル７３ｂ）を含む電磁波送受信系との制御を独立して行うことができれば、制御装置４４に第１制御部２８と第２制御部３０とを設けずに、単一の制御手段を制御装置４４に設けて、この単一の制御手段に第１制御部２８と第２制御部３０との双方の代用をさせてもよい。
【００８３】
また、実施の形態１〜３では、画像読取装置１０の制御装置４４において、撮像画像データ用のインタ・フェースである第１インタ・フェース部４６と、ＩＤ情報用のインタ・フェースである第２インタ・フェース部５７とを別個に設ける構成としたが、本発明はこれに限らない。本発明は、制御装置４４に第１インタ・フェース部４６と第２インタ・フェース部５７とを設けずに、外部機器との間で撮像画像データの送受信とＩＤ情報の送受信との双方に対応できる単一のインタ・フェースを制御装置４４に設けてもよい。
【００８４】
なお、実施の形態１〜３では、画像読取装置１０がフラットベッド型の画像読取装置であるものとして説明したが、本発明はこれに限らない。本発明は、ＡＤＦ型の画像読取装置であっても、前述の実施の形態１〜３と同様の効果を奏する。より詳しく述べると、一般に、ＲＦＩＤカード３２への供給電力は、ＲＦＩＤカード３２のアンテナコイル３６内を通過する磁束の総和となる。このため、ＲＦＩＤカード３２のアンテナコイル３６で形成される閉ループ領域の面積と比べて、送受信アンテナ部の送信コイルや受信コイルが細い場合、言い換えれば、送信コイルや受信コイルで形成される閉ループ領域の面積が小さい場合は、電力供給用の電磁波の伝送効率が大幅に低下し、ＲＦＩＤカード３２のアンテナコイル３６内を通過する磁束が、ＲＦＩＤカード３２の電子タグ３４を動作させるのに十分な量とはならない。したがって、画像読取装置の送受信アンテナ部と、ＲＦＩＤカード３２のアンテナコイル３６との間で通信ができない。ＡＤＦ型の画像読取装置の送受信アンテナ部とＲＦＩＤカード３２のアンテナコイル３６との間で通信ができるようにするためには、このＡＤＦ型の画像読取装置の送受信アンテナ部の送信コイルや受信コイルの閉ループの大きさ（例えば、幅）を、ＲＦＩＤカード３２相当の大きさ（例えば、幅）にして、ＲＦＩＤカード３２のアンテナコイル３６内を通過する磁束を、ＲＦＩＤカード３２の電子タグ３４を動作させるのに十分な量にする必要がある。このような理由から、小型のＡＤＦ型の画像読取装置では、ＲＦＩＤカード３２の搬送方向に沿って、読取部と送受信アンテナ部とを隣接させたり、読取部の位置と送受信アンテナ部の位置とを重ねるようにして読取部と送受信アンテナ部とを配置させている。この結果、このＡＤＦ型の画像読取装置の読取部の撮像素子がＲＦＩＤカード３２の画像読取面３２ａを撮像している時に、ＩＤ情報取得部が第２制御部を介して送信駆動回路に送信コイル駆動制御信号を出力し、送信駆動回路を駆動させて送信コイルにより電力供給用の電磁波を送信させると、読取部に電力供給用の電磁波やＩＤ情報送受信用の電磁波の影響が及んでしまう。しかしながら、前述の実施の形態１〜３での説明と同様に、このＡＤＦ型の画像読取装置に前述のような干渉抑制手段を備えることによって、読取部に電力供給用の電磁波やＩＤ情報送受信用の電磁波の影響が及ぶことを抑制できる。
【産業上の利用可能性】
【００８５】
以上のように、本発明に係る画像読取装置は、ＲＦＩＤカードの画像読取面とタグのＩＤ情報との双方を同時に取得するのに有用であり、特に、ＩＣ運転免許証の画像読取面とタグのＩＤ情報との双方を同時に取得するのに有用である。
【図面の簡単な説明】
【００８６】
【図１】実施の形態１に係る画像読取装置の概略を示すブロック図である。
【図２】画像読取装置の特徴部分を示す模式図である。
【図３】実施の形態２に係る画像読取装置の特徴部分を示す断面図である。
【図４】実施の形態３に係る画像読取装置の特徴部分を示す斜視図である。
【図５】伝搬領域と抑制領域との関係を示す模式図である。
【符号の説明】
【００８７】
１０    画像読取装置
１２    光源
１４    読取部（読取手段）
１４ａ  撮像素子
１４ｂ  キャリアケーブル
１６    画像データ生成部（画像データ生成手段）
１８    送受信アンテナ部（送受信手段）
１８ａ  送信コイル
１８ｂ  受信コイル
２０    ＩＤ情報取得部（ＩＤ情報取得手段）
２２    磁気シールド部材（干渉抑制手段）
２４    インタ・フェース
２６    追加情報入力部（追加情報入力手段）
２８    第１制御部（暗号化手段）
３０    第２制御部（暗号化手段）
３２    ＲＦＩＤカード
３２ａ  画像読取面
３４    電子タグ（タグ）
３６    アンテナコイル（ＩＤ情報送信手段）
３８    カード載置面
３９    蓋部材
４６    第１インタ・フェース部
４８    パーソナルコンピュータ（外部機器）
５７    第２インタ・フェース部
６８    磁気シールド材を含む撮像素子のケーシング（干渉抑制手段）
７３    送受信アンテナ部（送受信手段）
７３ａ  送信コイル
７３ｂ  受信コイル
７４    閉ループコイル
Ｈ１    伝搬領域
Ｈ２    抑制領域
【図１】
2009267530.tif 000003
【図２】
2009267530.tif 000004
【図３】
2009267530.tif 000005
【図４】
2009267530.tif 000006
【図５】
2009267530.tif 000007